【手続補正書】
【提出日】平成19年1月25日(2007.1.25)
【手続補正１】
【補正対象書類名】明細書
【補正対象項目名】特許請求の範囲
【補正方法】変更
【補正の内容】
【特許請求の範囲】
【請求項１】  所定の信号を含む送信信号を生成して送出する送信手段と、
上記所定の信号に関連する詳細情報を提供する詳細情報提供手段と、
上記詳細情報提供手段に対するアクセス先情報を供給するアクセス先情報供給手段と、
上記送信手段から送出された上記送信信号より上記所定の信号を検出する検出部と、上記アクセス先情報供給手段へ接続する第１の接続部と、上記第１の接続部に接続したアクセス先情報供給手段から上記検出部にて検出した所定の信号に対応したアクセス先情報を取得する第１の取得部と、上記第１の取得部にて取得したアクセス先情報に基づいて上記詳細情報提供手段へ接続する第２の接続部と、上記第２の接続部に接続した詳細情報提供手段から上記検出部にて検出した所定の信号に関連する詳細情報を取得する第２の取得部とを備えた信号処理手段とを有する
ことを特徴とする情報送受信システム。
【請求項２】   上記検出部は、上記送信信号中の上記所定の信号としての送信時刻、及び、上記送信信号の周波数又は送信チャンネルを検出し、
上記第１の接続部は、上記アクセス先情報提供手段に接続し、
上記第１の取得部は、上記検出部にて検出された上記所定の信号としての送信時刻、及び、上記送信信号の周波数又は送信チャンネルに対応したアクセス先情報を所得することを特徴とする請求項１記載の情報送受信システム。
【請求項３】  所定の信号を含む送信信号を受信する受信部と、
上記受信部にて受信した上記送信信号より上記所定の信号を検出する検出部と、
上記所定の信号に関連する詳細情報を提供する詳細情報提供手段に対するアクセス先情報を供給するアクセス先情報供給手段に接続する第１の接続部と、
上記第１の接続部に接続した上記アクセス先情報供給手段から、上記検出部にて検出した所定の信号に対応したアクセス先情報を取得する第１の取得部と、
上記第１の取得部にて取得したアクセス先情報に基づいて上記詳細情報提供手段へ接続する第２の接続部と、
上記第２の接続部に接続した詳細情報提供手段から、上記検出部にて検出した所定の信号に関連する詳細情報を取得する第２の取得部とを有する
ことを特徴とする情報処理装置。
【請求項４】   上記検出部は、上記送信信号中の上記所定の信号としての送信時刻、及び、上記送信信号の周波数又は送信チャンネルを検出し、
上記第１の接続部は、上記アクセス先情報供給手段に接続し、
上記第１の取得部は、上記検出部にて検出された上記所定の信号の送信時刻、及び、上記送信信号の周波数又は送信チャンネルに対応したアクセス先情報を所得することを特徴とする請求項３記載の情報処理装置。
【請求項５】  上記検出部にて検出した上記所定の信号を蓄積する蓄積手段と、
上記蓄積手段に蓄積された複数の所定の信号を必要に応じて閲覧する閲覧手段と、
上記蓄積手段に蓄積された複数の所定の信号から所望の信号を検索する検索手段とを設けることを特徴とする請求項３記載の情報処理装置。
【請求項６】  少なくとも、送信信号として送出される所定の信号と、その所定の信号に関連する詳細情報を提供する詳細情報提供手段に対するアクセス先情報を登録するデータベース部と、
所定の信号を含む送信信号を受信する受信部と、
上記受信部にて受信された送信信号より上記所定の信号を抽出し、当該送信信号中の上記所定の信号の送信時刻、及び、当該送信信号の周波数又は送信チャンネルを検出する検出部と、
上記検出部にて検出された上記所定の信号に基づいて、上記データベース部に登録されている上記所定の信号を参照し、上記データベース部に登録されている上記所定の信号と送信時刻、及び、送信信号の周波数又は送信チャンネルと、上記アクセス先の情報とを関連付けるデータベース参照手段とを有する
ことを特徴とする情報処理装置。
【請求項７】  所定の信号に関連する詳細情報を提供する詳細情報提供手段と、
所定の信号と上記詳細情報提供手段に対するアクセス先情報とを含む送信信号を生成して送出する送信手段と、
上記送信手段から送出された上記送信信号より上記所定の信号とその所定の信号に対応するアクセス先情報を検出する検出部と、上記検出部にて検出した上記所定の信号及び上記アクセス先情報に基づいて上記詳細情報提供手段へ接続する接続部と、上記接続部に接続した詳細情報提供手段から上記検出部にて検出した所定の信号に関連する詳細情報を取得する取得部とを備えた信号処理手段とを有する
ことを特徴とする情報送受信システム。
【請求項８】  所定の信号と、上記所定の信号に関連する詳細情報を提供する詳細情報提供手段に対するアクセス先情報とを含む送信信号を受信する受信部と、
上記受信部にて受信した上記送信信号より上記所定の信号及びアクセス先情報を検出する検出部と、
上記検出部にて検出した所定の信号及びアクセス先情報に基づいて、上記詳細情報提供手段へ接続する接続部と、
上記接続部に接続した詳細情報提供手段から、上記検出部にて検出した所定の信号に関連する詳細情報を取得する取得部とを有する
ことを特徴とする情報処理装置。
【請求項９】  上記検出部にて検出した上記所定の信号を蓄積する蓄積手段と、
上記蓄積手段に蓄積された複数の所定の信号を必要に応じて閲覧する閲覧手段と、
上記蓄積手段に蓄積された複数の所定の信号から所望の信号を検索する検索手段とを設けることを特徴とする請求項８記載の情報処理装置。
【請求項１０】  所定の信号に関連する詳細情報を用意し、
上記詳細情報に対するアクセス先情報を用意し、
所定の信号を含む送信信号を生成して送出し、
上記送出された上記送信信号より上記所定の信号を検出し、
上記検出した所定の信号に基づいて、上記所定の信号に関連する詳細情報に対するアクセス先情報を取得し、
上記取得したアクセス先情報に基づいて、上記検出した所定の信号に関連する詳細情報を取得する
ことを特徴とする情報送受信方法。
【請求項１１】  上記送信信号中の上記所定の信号の送信時刻、及び、上記送信信号の周波数又は送信チャンネルを検出し、
上記検出された上記所定の信号の送信時刻、及び、上記送信信号の周波数又は送信チャンネルに基づいて、上記アクセス先情報を取得することを特徴とする請求項１０記載の情報送受信方法。
【請求項１２】  所定の信号を含む送信信号を受信し、
上記受信した上記送信信号より上記所定の信号を検出し、
上記所定の信号に関連する詳細情報を提供する詳細情報提供手段に対するアクセス先情報を供給するアクセス先情報供給手段へ接続し、
上記接続したアクセス先情報供給手段から、上記検出した所定の信号に対応したアクセス先情報を取得し、
上記取得したアクセス先情報に基づいて上記詳細情報提供手段へ接続し、
上記接続した詳細情報提供手段から、上記検出した所定の信号に関連する詳細情報を取得する
ことを特徴とする情報処理方法。
【請求項１３】  上記送信信号中の上記所定の信号の送信時刻、及び、上記送信信号の周波数又は送信チャンネルを検出し、
上記アクセス先情報供給手段へ接続し、
上記検出された上記所定の信号の送信時刻、及び、上記送信信号の周波数又は送信チャンネルに対応するアクセス先情報を取得することを特徴とする請求項１２記載の情報処理方法。
【請求項１４】  上記検出した上記所定の信号を蓄積し、
上記蓄積された複数の所定の信号を必要に応じて閲覧し、
上記蓄積された複数の所定の信号から所望の信号を検索することを特徴とする請求項１２記載の情報処理方法。
【請求項１５】  少なくとも、送信信号として送出される所定の信号と、その所定の信号に関連する詳細情報を提供する詳細情報提供手段に対するアクセス先情報を登録し、
上記所定の信号を含む送信信号を受信し、
上記受信された送信信号より上記所定の信号を抽出し、当該送信信号中の上記所定の信号の送信時刻、及び、当該送信信号の周波数又は送信チャンネルを検出し、
上記検出された上記所定の信号に基づいて、上記登録されている上記所定の信号を参照し、上記登録されている上記所定の信号と送信時刻、及び、送信信号の周波数又は送信チャンネルと、上記アクセス先の情報とを関連付ける
ことを特徴とする情報処理方法。
【請求項１６】  所定の信号に関連する詳細情報を用意し、
所定の信号と上記詳細情報に対するアクセス先情報とを含む送信信号を生成して送出し、
上記送出された上記送信信号より上記所定の信号とその所定の信号に対応するアクセス先情報を検出し、
上記検出した上記所定の信号及び上記アクセス先情報に基づいて、上記検出した所定の信号に関連する詳細情報を取得する
ことを特徴とする情報送受信方法。
【請求項１７】  所定の信号と、上記所定の信号に関連する詳細情報を提供する詳細情報提供手段に対するアクセス先情報とを含む送信信号を受信し、
上記受信部にて受信した上記送信信号より上記所定の信号及びアクセス先情報を検出し、
上記検出した所定の信号及びアクセス先情報に基づいて、上記詳細情報提供手段へ接続し、
上記接続した詳細情報提供手段から、上記検出した所定の信号に関連する詳細情報を取得する
ことを特徴とする情報処理方法。
【請求項１８】  上記検出した上記所定の信号を蓄積し、
上記蓄積された複数の所定の信号を必要に応じて閲覧し、
上記蓄積された複数の所定の信号から所望の信号を検索することを特徴とする請求項１７記載の情報処理方法。